(57)【要約】【課題】Ｘ線透過口を通ってカバーの外部に漏れる騒音を十分に低減することが可能なＸ線ＣＴ装置を提供する。【解決手段】実施形態のＸ線ＣＴ装置は、環状回転体と、Ｘ線管と、Ｘ線検出器と、カバーと、スピーカーとを有する。環状回転体は中央に寝台を挿入可能な開口部を有する。Ｘ線管は環状回転体の内部に収納される。Ｘ線検出器は、環状回転体の内部に収納され、開口部を間にしてＸ線管と対向配置され、開口部の中心軸に沿って列状にＸ線検出素子が配置されている。カバーは、開口部に嵌め込まれ、開口部の中心側から環状回転体を覆う筒側部を有し、Ｘ線管からＸ線検出器へ照射されるＸ線を透過するように、Ｘ線検出器の列方向の長さに対応する口径を有するＸ線透過口が筒側部に形成される。スピーカーは、カバーの内部からＸ線透過口を通ってカバーの外部に漏れる騒音を低減する音を発生する。【選択図】図１
2013169393.tif 000002
【特許請求の範囲】
【請求項１】
中央に寝台を挿入可能な開口部を有する環状回転体と、
環状回転体の内部に収納されたＸ線管と、
環状回転体の内部に収納され、開口部を間にしてＸ線管と対向配置され、開口部の中心軸に沿って列状にＸ線検出素子が配置されたＸ線検出器と、
前記開口部に嵌め込まれ、前記開口部の中心側から前記環状回転体を覆う筒側部を有し、前記Ｘ線管から前記Ｘ線検出器へ照射されるＸ線を透過するように、前記Ｘ線検出器の列方向の長さに対応する口径を有するＸ線透過口が前記筒側部に形成されたカバーと、
前記カバーの内部から前記Ｘ線透過口を通って前記カバーの外部に漏れる騒音を低減する音を発生するスピーカーと、
を有する
ことを特徴とするＸ線ＣＴ装置。
【請求項２】
前記スピーカーは、前記カバーの外部に漏れる騒音に対し逆位相の音を発生することを特徴とする請求項１に記載のＸ線ＣＴ装置。
【請求項３】
前記カバーの外部に漏れるようとする騒音は、周期性を有する音であることを特徴とする請求項１に記載のＸ線ＣＴ装置。
【請求項４】
前記周期性を有する音は、前記環状回転体の回転、及び／または前記Ｘ線管を冷却するための冷却ファンの回転に起因した音であることを特徴とする請求項３に記載のＸ線ＣＴ装置。
【請求項５】
前記カバーの外部に漏れるようとする騒音の周波数を検出する周波数検出手段と、
前記検出された周波数から予め定められた周波数を抽出する抽出手段と、
前記スピーカーに対して前記抽出された周波数に基づき逆位相の音を発生させる音生成手段と、
をさらに有することを特徴とする請求項１、請求項３及び請求項４のいずれかに記載のＸ線ＣＴ装置。
【請求項６】
前記Ｘ線透過口の近傍に配置され、前記カバーの外部に漏れる騒音を収集するマイクをさらに有することを特徴とする請求項５に記載のＸ線ＣＴ装置。
【請求項７】
前記スピーカーは、前記Ｘ線透過口の近傍に配置されていることを特徴とする請求項１から請求項６のいずれかに記載のＸ線ＣＴ装置。
【請求項８】
前記スピーカーは、指向性を有することを特徴とする請求項１から請求項７のいずれかに記載のＸ線ＣＴ装置
【請求項９】
前記スピーカーは、前記Ｘ線による撮影部位の位置に応じて音を送る方向を変更可能に構成されていることを特徴とする請求項８に記載のＸ線ＣＴ装置。
【請求項１０】
前記スピーカーは、パネル状に構成され、前記Ｘ線透過口を塞ぐように配置された振動膜と、当該振動膜を振動させて音を発生させる駆動部とを有することを特徴とする請求項１から請求項９のいずれかに記載のＸ線ＣＴ装置。
【発明の詳細な説明】
【技術分野】
【０００１】
本発明の実施形態は、Ｘ線ＣＴ装置に関する。
【背景技術】
【０００２】
従来、Ｘ線ＣＴ装置は、Ｘ線管から照射され、被検者を透過したＸ線をＸ線検出器で検出し、検出された結果に基づき画像を再構成することによりＸ線断層画像を得る。
【０００３】
Ｘ線管及びＸ線検出器は、体軸を間にして対向配置され、回転体の内部に設けられている。回転体は体軸を中心にして回転するように架台の内部に収納されている。
【０００４】
Ｘ線管からのＸ線は、体軸を中心として円周方向に広がるファン角、及び体軸方向に広がるコーン角を有している。Ｘ線検出器は、ファン角に対応する行方向（円周方向）と、コーン角に対応する列方向（体軸方向）とにＸ線検出素子が並べられている。
回転体の中央には寝台を挿入可能な開口部が設けられている。架台及び回転体を外部から覆うカバーが設けられている。カバーは、開口部に嵌め込まれ、開口部の中心側から回転体を覆う筒側部を有している。筒側部にはＸ線管からのＸ線を透過するＸ線透過口が設けられている。
【０００５】
Ｘ線管の近傍には、Ｘ線管からの熱を放熱するための放熱器が配置されている。回転体には通気口が設けられている。また、架台には通気口に対応して連通口が設けられ、連通口がダクトを介して架台の外部に通じている。ダクト内には冷却ファンが設けられている。冷却ファンにより、放熱器からの熱が通気口、連通口、及びダクトを介して架台の外部に排出される。
【０００６】
回転体を回転させたときに生じる風切り音や冷却ファンが回転するときの風切り音がカバーの内部の騒音となる。騒音はＸ線透過口を通って外部に漏れる。
【０００７】
Ｘ線ＣＴ装置において、架台の外部にスピーカーを設置し、カバーの内部で生じた騒音の逆位相の音をスピーカーから発生させることで、カバーの内部から外部に漏れる騒音を低減することが可能なものがある（特許文献１）。
【０００８】
Ｘ線検出器の多列化に伴い、Ｘ線を透過するためのＸ線透過口が大きくなり、カバーの外部に漏れようとする騒音も大きくなる傾向にある。
【先行技術文献】
【特許文献】
【０００９】
【特許文献１】特開２０１１−２４８０３号公報
【発明の概要】
【発明が解決しようとする課題】
【００１０】
しかしながら、特許文献１に記載された技術では、大きくなりつつあるＸ線透過口を通ってカバーの外部に漏れる騒音を十分に低減することができないという問題点があった。
【００１１】
この実施形態は、上記の問題を解決するものであり、Ｘ線透過口を通ってカバーの外部に漏れる騒音を十分に低減することが可能なＸ線ＣＴ装置を提供することを目的とする。
【課題を解決するための手段】
【００１２】
上記課題を解決するために、実施形態のＸ線ＣＴ装置は、環状回転体と、Ｘ線管と、Ｘ線検出器と、カバーと、スピーカーとを有する。環状回転体は中央に寝台を挿入可能な開口部を有する。Ｘ線管は環状回転体の内部に収納される。Ｘ線検出器は、環状回転体の内部に収納され、開口部を間にしてＸ線管と対向配置され、開口部の中心軸に沿って列状にＸ線検出素子が配置されている。カバーは、開口部に嵌め込まれ、開口部の中心側から環状回転体を覆う筒側部を有し、Ｘ線管からＸ線検出器へ照射されるＸ線を透過するように、Ｘ線検出器の列方向の長さに対応する口径を有するＸ線透過口が筒側部に形成される。スピーカーは、カバーの内部からＸ線透過口を通ってカバーの外部に漏れる騒音を低減する音を発生する。
【図面の簡単な説明】
【００１３】
【図１】第１の実施形態に係るＸ線ＣＴ装置のブロック図。
【図２】Ｘ線ＣＴ装置の正面図。
【図３】Ｘ線ＣＴ装置を斜め後方から見たときの斜視図。
【図４】スピーカーによる防音構造の断面図。
【図５】床面とカバーとの間の間隙を塞ぐように配置された弾性部材の断面図。
【図６】Ｘ線ＣＴ装置を模式的に示した正面図。
【図７】架台制御部のブロック図。
【図８】変形例に係る架台制御部のブロック図。
【図９】第２の実施形態に係る防音構造の断面図であって、天板を頭部撮影位置に移動したときの図。
【図１０】天板を胸部撮影位置に移動したときの図。
【図１１】第３の実施形態に係る防音構造の断面図。
【発明を実施するための形態】
【００１４】
［第１の実施形態］
このＸ線ＣＴ装置の第１の実施形態について、図１〜図３を参照して説明する。図１はＸ線ＣＴ装置のブロック図、図２はＸ線ＣＴ装置の正面図、図３はＸ線ＣＴ装置を斜め後方から見たときの斜視図である。
【００１５】
図１〜図３に示すように、Ｘ線ＣＴ装置としては、医用診断に用いるＸ線ＣＴ装置を例に示している。Ｘ線ＣＴ装置１０は、架台１１、環状回転体１２、回転機構（図示省略）、カバー１６、冷却手段４０、及びダクト４５を有している。架台１１及びカバー１６を筐体という場合がある。
【００１６】
（架台）
架台１１の内部には、環状回転体１２及び回転機構（図示省略）が設けられている。環状回転体１２は、回転機構によって回転する。環状回転体１２は、回転中心を筒軸とする円筒部１２３、並びに、回転中心（筒軸）に直交する正面壁１２４及び背面壁１２５を有している。
【００１７】
（環状回転体）
環状回転体１２の内部には、Ｘ線管１７、Ｘ線検出器１８、放熱器２６、電源２７、及び、バランサ２８等を含む機器が設けられている。これらの機器は、円筒部１２３の内面に支持されている。架台１１及び環状回転体１２の中心部には、寝台７０の天板７１に載置された被検者Ｐを前方から挿入するための開口部１５が設けられている。
【００１８】
また、環状回転体１２には、スリップリング２２とＸ線制御部２４が設けられ、固定部２３には架台制御部２５が設けられている。
【００１９】
（カバー）
カバー１６は、架台１１および環状回転体１２を覆うように形成されている。ここで、環状回転体１２の前方、後方、両側方、上方、及び下方に配置されている架台１１の部位を、前面部、後面部、側面部、天井部及び底部という場合がある。また、左右方向（両側方向）、上下方向（高さ方向）、及び、体軸方向（前後方向）をＸ軸方向、Ｙ軸方向、及び、Ｚ軸方向という場合がある。なお、架台１１の後面部をフレーム１３という場合がある。
【００２０】
また、図２及び図３において、環状回転体１２の前方及び後方をＺ１及びＺ２で示し、さらに、環状回転体１２の右側方及び左側方をＸ１及びＸ２で示し、さらに、環状回転体１２の上方及び下方をＹ１及びＹ２で示す。
【００２１】
図２及び図３に示すように、カバー１６は、架台１１の底部を覆う底カバー１６１と、架台１１の前面部を覆う前カバー１６２と、架台１１の後面部を覆う後カバー１６３と、架台１１の天井部を覆う天井カバー１６４と、架台１１の側面部を覆う側面カバー１６５とを有している。
【００２２】
前カバー１６２は筒口前部１６２ａを有している。筒口前部１６２ａは、筒状に形成され、開口部１５の略前半分をＺ軸方向（体軸方向）から覆うように開口部１５に前方から嵌め込まれている。
【００２３】
後カバー１６３は筒口後部１６３ａを有している。筒口後部１６３ａは、筒状に形成され、開口部１５の略後半分をＺ軸方向から覆うように開口部１５に後方から嵌め込まれている。筒口前部１６２ａ及び筒口後部１６３ａにより筒側部が構成されている。
【００２４】
後カバー１６３の上部には、後述する放熱器２６からの熱をカバー１６の外部に放出するための排気口１６３ｂが設けられている。排気口１６３ｂは、図２及び図３に示す１２時の位置に設けられている。放熱器２６からの熱はカバー１６内部で上昇するために、後カバー１６３の上部に設けられた排気口１６３ｂから効率よく熱を放出することが可能となる。排気口１６３ｂを通してＸ線ＣＴ装置の正面側に伝わるカバー１６内部からの騒音は、前カバー１６２や底カバー１６１の前面部に排気口１６３ｂが設けられたときに比較して、低減される。
【００２５】
放熱器２６からの熱を効率よく放出するため、排気口１６３ｂは、カバー１６の上部にもうけられていればよい。例えば、排気口１６３ｂは天井カバー１６４に設けられてもよい。
【００２６】
後述するダクト４５の一部は後カバー１６３により覆われている。また、後述するファン４１及びダクト４５の他の部分は、側面カバー１６５により覆われている。なお、ファン４１及びダクト４５の他の部分は、他のカバー１６、例えば、天井カバー１６４により覆われてもよい。
【００２７】
（Ｘ線管等）
Ｘ線管１７とＸ線検出器１８とは、開口部１５を中心にして対向して配置されている。Ｘ線管１７から被検者Ｐに対してＸ線が曝射される。被検者Ｐを透過したＸ線はＸ線検出器１８で検出されて電気信号に変換される。電気信号は、データ収集部（ＤＡＳ）１９で増幅され、デジタルデータに変換される。
【００２８】
Ｘ線検出器１８は、例えばシンチレータアレイ、フォトダイオードアレイから成る複数の検出素子アレイを含み、Ｘ線管１７の焦点を中心とした円弧に沿って配列される。またＤＡＳ１９からのデジタルデータ（投影データ）は、データ伝送部２０を介してコンソール２１に伝送される。
【００２９】
データ伝送部２０は、環状回転体１２からコンソール２１へ投影データを非接触で伝送するものであり、環状回転体１２側に設けた送信部２０１と、架台１１の固定部２３に設けた受信部２０２を含み、受信部２０２で受信したデータをコンソール２１に供給する。なお、送信部２０１は、円環状の回転体に取り付けられ、受信部２０２は円環状の固定体に取り付けられている。
【００３０】
（コンソール）
コンソール２１は、コンピュータシステムを構成するものであり、データ伝送部２０からの投影データが前処理部３１に供給される。前処理部３１では投影データに対してデータ補正等の前処理を行いバスライン３２上に出力する。
【００３１】
バスライン３２には、システム制御部３３、入力部３４、データ記憶部３５、再構成処理部３６、データ処理部３７、表示部３８等が接続され、システム制御部３３には、高電圧発生部３９が接続されている。
【００３２】
システム制御部３３はホストコントローラとして機能し、コンソール２１の各部の動作や、架台制御部２５及び高電圧発生部３９を制御する。データ記憶部３５は断層画像等のデータを記憶するものであり、再構成処理部３６は投影データから３Ｄ画像データを再構成する。データ処理部３７は、データ記憶部３５に保存された画像データまたは再構成したあとの画像データを処理する。表示部３８は画像データ処理によって得られた画像等を表示する。
【００３３】
入力部３４はキーボード、マウス等を有し、ユーザ（医師、オペレータ等）によって操作され、データ処理する上で各種の設定を行う。また被検者の状態や検査方法等の各種情報を入力するものである。
【００３４】
高電圧発生部３９は、スリップリング２２を介してＸ線制御部２４を制御し、Ｘ線管１７に電源２７から電力を供給し、Ｘ線の曝射に必要な電力（管電圧、管電流）を与える。Ｘ線管１７は、被検者Ｐの体軸方向に平行なスライス方向と、それに直交するチャンネル方向の２方向に広がるビームＸ線を発生する。ビームＸ線のスライス方向の広がり角をコーン角、チャンネル方向の広がり角をファン角という場合がある。
【００３５】
冷却手段４０は、Ｘ線管１７を冷却するもので、ファン４１を有している。ファン４１は、放熱器２６の近傍に配置され、放熱器２６からの熱を、通気口１２２及び連通口１１２（図６参照）に通してダクト４５に送り出すものである。ダクト４５は、架台１１とカバー１６との間に配置され、ファン４１からの排気を受けて排気口１６３ｂに導くものである。
【００３６】
カバー内部からの騒音としては、ファン４１が回転しているときの風切り音及びそれを駆動するモータの音が含まれる。さらに、環状回転体１２が回転したときに生じる風切り音が含まれる。
【００３７】
〔防音構造〕
以上に、Ｘ線ＣＴ装置の基本的な構成について説明した。
次に、カバー１６内部からの騒音を低減するための防音構造について図４、図６、及び図８を参照して説明する。
【００３８】
（防音部材によりＸ線透過口を塞いだ防音構造）
図４は、防音部材６１及びスピーカー２５６による防音構造の断面図、図６はＸ線ＣＴ装置を模式的に示した正面図である。図４では、開口部１５を体軸１２１の方向（Ｚ軸方向）に沿って切断したときの断面図を示している。
【００３９】
先ず、防音部材６１による防音構造について説明する。図４に示すように、前カバー１６２の筒口前部１６２ａの後端部１６２ｄと後カバー１６３の筒口後部１６３ａの前端部１６３ｄとの間にはＸ線を通すためのＸ線透過口Ｓ１が形成されている。Ｘ線透過口Ｓ１の周方向の幅は、ビームＸ線のファン角に対応した大きさになっている。また、Ｘ線透過口Ｓ１のＺ軸方向の幅は、ビームＸ線のコーン角に対応した大きさになっている。Ｘ線検出器１８は、コーン角に対応してＺ軸方向に多列にＸ線検出素子が配置されている。Ｘ線検出器１８の列方向の長さに対応して、Ｘ線透過口Ｓ１の口径（Ｚ軸方向の幅）も大きくなっている。
【００４０】
図４に示すように、Ｘ線透過口Ｓ１はシート状の防音部材６１により塞がれている。それにより、被検体が環状回転体１２に触れないように安全性を確保することが可能となる。さらに、血液や造影剤が環状回転体１２の内部へ進入するのを防止することが可能となる。さらに、カバー１６内部からの騒音が外部に漏れるのを防止することが可能となる。
【００４１】
防音部材６１は、音響透過損失の大きな材料であって、Ｘ線及びマーキングのためのレーザに対し透過率の良い薄いフィルム状の材料により構成されている。それにより、Ｘ線撮影により取得される画像の画質の低下を抑えることが可能となる。
【００４２】
防音部材６１の種類としては、音のエネルギーの一部が熱のエネルギーに変換され、反射音を小さくする吸音部材と、入射する音を反射、屈折する性質を有する音響反射部材とを含む。
【００４３】
吸音部材の例としては、小さな穴がたくさんあいている繊維状のものやスポンジ状のものであって、吸音部材に用いられる材料の代表例として、グラスウールやウレタンなどの多孔質材料が用いられることが好ましい。
【００４４】
この実施形態では、防音部材６１として、例えば、ポリエチレンテレフタレート（ＰＥＴ）が用いられている。ＰＥＴとしてマイラー（登録商標）が用いられことが好ましい。防音部材６１の厚さは、０．５［ｍｍ］〜１．０［ｍｍ］であることが好ましい。
【００４５】
（スピーカーによる防音構造）
前述したように、防音部材６１でＸ線透過口Ｓ１を塞ぐことにより、カバー１６の内部からの騒音が外部に漏れるのを防止することが可能となる。一般的に、防音部材６１では、高周波の騒音の漏れを防止することができるが、低周波の騒音の漏れを防止することが困難である。また、架台及び回転体をカバー１６により外部から完全に覆うことはできず、隙間が生じ、騒音がその隙間を通って騒音がカバー１６の外部に漏れてしまうことがある。
【００４６】
カバー１６の外部に漏れようとする騒音には、周期性を有する音が含まれる。この周期性を有する音は、環状回転体１２の回転、及び／またはＸ線管１７を冷却するための冷却ファン４１の回転に起因した低周波の音であって、環状回転体１２を回転させたときに生じる風切り音や冷却ファン４１が回転するときの風切り音が含まれる。これらの中の低周波の音の漏れを防音部材６１により防止することは困難である。
【００４７】
次に、Ｘ線透過口Ｓ１を通ってカバー１６の外部に漏れようとする低周波の周期性の騒音をスピーカーを設けることにより構成する防音構造について図４を参照して説明する。
【００４８】
スピーカー２５６は、カバー１６の内部からＸ線透過口Ｓ１を通ってカバー１６の外部に漏れようとする騒音を低減する音を発生する。Ｘ線透過口Ｓ１を通ってカバー１６の外部に漏れようとする騒音に対し逆位相の音をスピーカー２５６から発生させることにより、騒音の低減化を図る。スピーカー２５６は、Ｘ線透過口Ｓ１の近傍に配置されている。
【００４９】
（スピーカー制御部）
次に、スピーカー制御部２５１について図４及び図７を参照して説明する。図７は架台制御部のブロック図である。
【００５０】
架台制御部２５は、周期性を有する音に対して逆位相の音をスピーカー２５６に発生させるスピーカー制御部２５１を有している。
【００５１】
Ｘ線ＣＴ装置の運転時にカバー１６内の騒音を予め録音し、騒音の周波数、レベル、位相を解析しておく。スピーカー制御部２５１は、音信号生成手段２５４を有している。音信号生成手段２５４は、解析された騒音の周波数、レベル、位相に基づき、それと同じ周波数、レベルであって、逆位相の音信号を生成する。
【００５２】
Ｘ線ＣＴ装置を運転に、騒音と同じ周波数、レベルであって、逆位相の音信号を生成し、音信号に基づく音をスピーカー２５６から発生させることにより、Ｘ線透過口Ｓ１から外部に漏れようとする低周波の騒音を防止することが可能となる。
【００５３】
（スピーカー制御部の変形例）
次に、スピーカー制御部２５１の変形例について図４及び図８を参照して説明する。図８は架台制御部のブロック図である。
【００５４】
スピーカー制御部２５１は、周波数検出手段２５２と、抽出手段２５３と、音信号生成手段２５４と、を有している。
【００５５】
周波数検出手段２５２は、Ｘ線透過口Ｓ１を通ってカバー１６の外部に漏れようとする騒音の周波数を検出する。Ｘ線透過口Ｓ１の近傍には、カバー１６の外部に漏れようとする騒音を収集するマイク２５５が配置されている。それにより、Ｘ線透過口Ｓ１から外部に漏れようとする騒音をリアルタイムでマイク２５５により収集することが可能となる。
【００５６】
マイク２５５を設けることで、スピーカー２５６からの出力の一部をマイク２５５に帰還されたことによる発振現象（ハウリング）を生じさせるおそれがある。この対策として、ハウリングを発生させない距離だけ、マイク２５５をスピーカー２５６から離せばよい。
具体的には、図４に示すように、マイク２５５は、Ｘ線透過口Ｓ１を間にしてスピーカー２５６と反対側の位置に配置されている。これに限らず、マイク２５５とスピーカー２５６とを同じ側に配置してもよい。
【００５７】
また、マイク２５５に指向性を持たせて、騒音源（例えば、冷却ファン４１）の方向にマイク２５５を向けることにより、Ｘ線透過口Ｓ１から外部に漏れようとする騒音（周波数、レベル、位相）を収集することが可能となる。
【００５８】
抽出手段２５３は、周波数検出手段２５２により検出された周波数から予め定められた周波数を抽出する。ここで、予め定められた周波数とは、環状回転体１２の回転、及び／またはＸ線管１７を冷却するための冷却ファン４１の回転に起因して発生する音の低周波をいう。
【００５９】
音信号生成手段２５４は、抽出手段２５３により抽出された周波数に基づき音信号を生成してスピーカー２５６に送ることで、逆位相の音を発生させる。なお、スピーカー２５６から発生させる音のレベルは、打ち消そうとする音と同じレベルである。
【００６０】
変形例においては、周波数検出手段２５２、抽出手段２５３、及び、音信号生成手段２５４を設けることにより、経年変化等により低周波の騒音の周波数やレベルが変化したとしても、その変化した周波数、レベルと同じ周波数、レベルであって、変化した騒音の逆位相の音信号を生成することができ、変化した騒音がＸ線透過口Ｓ１から外部に漏れるのを防止することが可能となる。
【００６１】
（床面とカバーとの間の隙間を弾性部材により塞いだ防音構造）
以上に閉塞部材５０及び防音部材６１による防音構造について説明した。次に、弾性部材６５による防音構造ついて図１、図３及び図５を参照して説明する。図５は、床面Ｆとカバー１６との間の間隙Ｓ２を塞ぐように配置された弾性部材の断面図である。
【００６２】
図１、図３及び図５に示すように、Ｘ線ＣＴ装置の設置場所（床面Ｆ）と底カバー１６１の下縁との間には間隙Ｓ２が設けられている。間隙Ｓ２にはバラツキがある。バラツキは、カバー１６の製品精度及び組立精度に起因するため、間隙Ｓ２をなくすことは難しい。その間隙Ｓ２を通って、カバー１６内部からの騒音が外部に漏れる。一方、底カバー１６１の下縁が床面Ｆに当たっていると、運転時の振動により異音が発生する。
【００６３】
弾性部材６５は、弾性を有する材料（例えば、樹脂製ゴム）により帯状に形成されている。弾性部材６５の一方の側縁６５１が底カバー１６１の下縁に沿って装着されている。弾性部材６５の他方の側縁６５２が床面Ｆに当たって底カバー１６１の内側（図５に示すＩＮの方向）へ撓むことにより、その復元力で床面Ｆに弾撥的に当接している。それにより、間隙Ｓ２を無くすことが可能となる。
【００６４】
弾性部材６５により間隙Ｓ２が塞がれることで、カバー１６内部からの騒音を低減することが可能となる。また、弾性部材６５の側縁が弾撥的に床面Ｆに当接しているため、運転時の振動によって異音が発生することもない。
【００６５】
弾性部材６５の他方の側縁６５２は、底カバー１６１の内側へ撓むように形成されている。弾性部材６５の他方の側縁６５２が底カバー１６１の内部に隠れるようになるため、外観品質を向上させることが可能となる。
【００６６】
また、弾性部材６５の他方の側縁６５２は、底カバー１６１の内側へ撓むように予めその方へ湾曲していてもよい。また、撓み易いように、他方の側縁６５２の板厚は、一方の側縁６５１を含む他の部分のそれより薄くなっていてもよい。
【００６７】
［第２の実施形態］
次に、第２の実施形態に係る防音構造について図９及び図１０を参照して説明する。図９は天板７１を頭部撮影位置に移動したときの図、天板７１を胸部撮影位置に移動したときの図である。
【００６８】
第２の実施形態において、第１の実施形態と同じ構成について説明を省略し、異なる構成について主に説明する。
【００６９】
第１の実施形態において、音を送る方向が固定されたスピーカー２５６について説明したが、第２の実施形態では、撮影部位の位置に対応させるように構成されたスピーカー２５６について説明する。
【００７０】
スピーカー２５６は、指向性を有している。スピーカー２５６は、Ｘ線による撮影部位の位置に応じて音を送る方向（被検者Ｐの耳が位置する方向）を変更する。図９に頭部撮影位置を示し、図１０に胸部撮影位置を示す。
【００７１】
架台制御部２５は、天板７１の位置情報を受けて、スピーカー２５６が音を送る方向を変更する。スピーカー２５６の取付角度を可変、あるいは、スピーカー２５６の振動板（図示省略）の向きを可変に構成して、天板７１の位置に応じて、その角度や向きを変更すればよい。
【００７２】
［第３の実施形態］
次に、第３の実施形態に係る防音構造について図１１を参照して説明する。第３の実施形態においては、第１の実施形態と同じ構成について説明を省略し、異なる構成について主に説明する。
第１の実施形態では、防音部材６１及びスピーカー２５６により、Ｘ線透過口Ｓ１からカバー１６の外部に漏れる騒音を低減するものを示したが、第３の実施形態では、スピーカー２５６のみにより、Ｘ線透過口Ｓ１からカバー１６の外部に漏れる騒音を低減するものを示す。
【００７３】
図１１は、スピーカー２５６による防音構造の断面図である。図１１に示すように、スピーカー２５６は、パネル状に構成され、Ｘ線透過口Ｓ１を塞ぐように配置された振動膜２５６ａと、それを振動させて音を発生させる駆動部２５６ｂとを有する。
【００７４】
振動膜２５６ａには、Ｘ線透過率の高い材料を用いることが好ましく、炭素繊維プラスチックを用いることがさらに好ましい。
【００７５】
駆動部２５６ｂはＸ線透過口Ｓ１の周囲に配置されている。それにより、駆動部２５６ｂはＸ線管１７から照射されたＸ線を受けない。
【００７６】
振動膜２５６ａによりＸ線透過口Ｓ１を塞ぐことにより、高周波の騒音を外部に漏れないように遮断することが可能となる。さらに、振動膜２５６ａから低周波の騒音と逆位相の音を発生することにより、低周波の騒音を外部に漏れないように遮断することが可能となる。
【００７７】
なお、上記各実施形態においては、カバー１６の内面に吸音部材が装着されていてもよい。吸音部材の例としては、ロックウールやグラスウールなどの多孔質材料を高密度の板状に形成されたものが用いられる。多孔質材料の一例として、ポリエチレン、ビニルフィルムなどの薄膜が用いられることが好ましい。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態やその変形は、発明の範囲や要旨に含まれるととともに、特許請求の範囲に記載された発明とその均等の範囲に含まれる。
【符号の説明】
【００７９】
Ｐ  被検者
Ｓ１  Ｘ線透過口
Ｓ２  間隙
１０  Ｘ線ＣＴ装置
１１  架台
１１１  ファン設置部
１１２  連通口
１２  環状回転体
１２１  体軸
１２２  通気口
１２３  円筒部
１２４  正面壁
１２５  背面壁
１５  開口部
１６  カバー
１６１  底カバー
１６２  前カバー
１６２ａ  筒口前部
１６３  後カバー
１６３ａ  筒口後部
１６３ｂ  排気口
１６４  天井カバー
１６５  側面カバー
１７  Ｘ線管
１８  Ｘ線検出器
１９  データ収集部（ＤＡＳ）
２０  データ伝送部
２１  コンソール
２２  スリップリング
２３  固定部
２４  Ｘ線制御部
２５  架台制御部
２５１  スピーカー制御部
２５２  周波数検出手段
２５３  抽出手段
２５４  音信号生成手段
２５５  マイク
２５６  スピーカー
２５６ａ  振動膜
２５６ｂ  駆動部
２６  放熱器
２７  電源
２８  バランサ
３１  前処理部
３２  バスライン
３３  システム制御部
３４  入力部
３５  データ記憶部
３６  再構成処理部
３７  データ処理部
３８  表示部
３９  高電圧発生部
４０  冷却手段
４１  冷却ファン
４５  ダクト
６１  防音部材
６５  弾性部材
７０  寝台
７１  天板
【図１】
2013169393.tif 000003
【図２】
2013169393.tif 000004
【図３】
2013169393.tif 000005
【図４】
2013169393.tif 000006
【図５】
2013169393.tif 000007
【図６】
2013169393.tif 000008
【図７】
2013169393.tif 000009
【図８】
2013169393.tif 000010
【図９】
2013169393.tif 000011
【図１０】
2013169393.tif 000012
【図１１】
2013169393.tif 000013